(57)【要約】【課題】使用環境等が異なる場合であっても、画像不良を抑制するための好適な条件を出力することを課題とする。【解決手段】液体吐出装置は、対象物に液体を吐出して液体塗布面を形成する液体吐出ヘッドと、対象物を搬送する搬送部材と、液体塗布面を形成するための複数の異なるパターンデータをもとに、液体吐出ヘッドによる液体の吐出を制御するヘッド制御部と、パターンデータに対応する液体塗布面が形成されるように、搬送部材による対象物の搬送を制御する搬送制御部と、液体塗布面が形成された対象物それぞれの所定位置を撮像する撮像部と、撮像された所定位置の撮像画像それぞれをもとに、液体塗布面の形成処理方法を決定する決定部とを有する。【選択図】図５
2019162776.tif 000002
【特許請求の範囲】
【請求項１】
対象物に液体を吐出して液体塗布面を形成する液体吐出ヘッドと、
前記対象物を搬送する搬送部材と、
前記液体塗布面を形成するための複数の異なるパターンデータをもとに、前記液体吐出ヘッドによる前記液体の吐出を制御するヘッド制御部と、
前記パターンデータに対応する前記液体塗布面が形成されるように、前記搬送部材による前記対象物の搬送を制御する搬送制御部と、
前記液体塗布面が形成された前記対象物それぞれの所定位置を撮像する撮像部と、
撮像された前記所定位置の撮像画像それぞれをもとに、前記液体塗布面の形成処理方法を決定する決定部と
を有することを特徴とする液体吐出装置。
【請求項２】
前記決定部は、前記撮像画像から得られた特徴量をもとに、品質がより良い前記液体塗布面の前記形成処理方法を決定する
ことを特徴とする請求項１に記載の液体吐出装置。
【請求項３】
前記決定部は、前記特徴量の標準偏差と、前記特徴量の最大ピーク値及び最小ピーク値の差分値とをもとに、品質がより良い前記液体塗布面の前記形成処理方法を決定する
ことを特徴とする請求項２に記載の液体吐出装置。
【請求項４】
前記搬送制御部は、前記液体吐出ヘッドの連続する走査で前記液体塗布面の一部が重なる重なり部が形成されるように、前記搬送部材による前記対象物の搬送を制御し、
前記撮像部は、前記液体塗布面が形成された前記対象物それぞれの前記重なり部を撮像し、
前記決定部は、撮像された前記重なり部の前記撮像画像それぞれをもとに、前記液体吐出ヘッドによる前記液体塗布面の前記形成処理方法を決定する
ことを特徴とする請求項１〜３の何れか一つに記載の液体吐出装置。
【請求項５】
前記重なり部は、ドットの発生率が異なり、且つ、前記ドットがランダムに発生するマスクを含む前記パターンデータをもとに、連続する走査で形成される
ことを特徴とする請求項４に記載の液体吐出装置。
【請求項６】
前記マスクは、主走査方向の幅が副走査方向の幅の所定倍以上である
ことを特徴とする請求項５に記載の液体吐出装置。
【請求項７】
前記液体吐出ヘッドは、主走査方向においてノズルの一部が重なるように複数配置される
ことを特徴とする請求項１〜３の何れか一つに記載の液体吐出装置。
【請求項８】
複数の異なるパターンデータをもとに液体塗布面が形成された対象物それぞれの所定位置が撮像された撮像画像を取得する取得部と、
取得された前記撮像画像それぞれをもとに、前記液体塗布面の形成処理方法を決定する決定部と
を有することを特徴とする処理方法決定装置。
【請求項９】
複数の異なるパターンデータをもとに液体塗布面が形成された対象物それぞれの所定位置が撮像された撮像画像を取得するステップと、
取得された前記撮像画像それぞれをもとに、前記液体塗布面の形成処理方法を決定するステップと
をコンピュータに実行させるための処理方法決定プログラム。
【発明の詳細な説明】
【技術分野】
【０００１】
本発明は、液体吐出装置、処理方法決定装置及び処理方法決定プログラムに関する。
【背景技術】
【０００２】
インクジェット式のプリンタには、インク等の液体を吐出するノズルを用紙等の媒体の搬送方向に複数個繋げて構成された液体吐出ヘッドが備えられている。かかるプリンタでは、液体吐出ヘッドを１ライン分走査させ、媒体を所定量移動させた後に、液体吐出ヘッドを次の１ライン分走査させる、といった動作を繰り返し行なうことで、媒体上に液体塗布面を形成していく。このように、液体塗布面の形成を複数の走査によって実現する場合は、走査ごとの帯状の濃度差（バンディング等）が媒体上に発生することがある。
【０００３】
バンディング等の画像不良の低減に関して、特許文献１（特許第５８２４８２８号公報）では、画像不良が生じた場合に、画像補正を行なうための補正領域の形状や大きさについて開示されている。また、バンディングの発生を低減するために、例えば、ノズルの下部とノズルの上部とから異なる走査で媒体上の同一箇所に液体を吐出させる技術がある。つまり、かかる技術では、ノズルの一部を連続する走査で重ねて液体を吐出することで、スジや濃淡ムラ等の画像不良を低減している。
【発明の概要】
【発明が解決しようとする課題】
【０００４】
しかしながら、従来技術は、使用環境等によって異なる画像不良に対応することができないという問題がある。具体的には、ノズルの一部を連続する走査で重ねて液体を吐出したり、画像不良が生じた場合に画像補正を行なったりする従来技術は、媒体の種類や搬送精度、液体の吐出条件等の使用環境によって具合が異なる画像不良に対応することが困難である。つまり、画像不良は種々の条件によって変動するため、従来技術は、このような変動に汎用して対応できない。
【０００５】
本発明は、上記に鑑みてなされたものであって、使用環境等が異なる場合であっても、画像不良を抑制するための好適な条件を出力することを目的とする。
【課題を解決するための手段】
【０００６】
上述した課題を解決し、目的を達成するため、本発明に係る液体吐出装置は、対象物に液体を吐出して液体塗布面を形成する液体吐出ヘッドと、前記対象物を搬送する搬送部材と、前記液体塗布面を形成するための複数の異なるパターンデータをもとに、前記液体吐出ヘッドによる前記液体の吐出を制御するヘッド制御部と、前記パターンデータに対応する前記液体塗布面が形成されるように、前記搬送部材による前記対象物の搬送を制御する搬送制御部と、前記液体塗布面が形成された前記対象物それぞれの所定位置を撮像する撮像部と、撮像された前記所定位置の撮像画像それぞれをもとに、前記液体塗布面の形成処理方法を決定する決定部とを有する。
【発明の効果】
【０００７】
本発明によれば、使用環境等が異なる場合であっても、画像不良を抑制するための好適な条件を出力することができるという効果を奏する。
【図面の簡単な説明】
【０００８】
【図１】図１は、実施の形態１に係る液体吐出装置の斜視図である。
【図２】図２は、実施の形態１に係る液体吐出装置の内部の機械的構成を示す上面図である。
【図３】図３は、実施の形態１に係る液体吐出装置のハードウェア構成例を示すブロック図である。
【図４Ａ】図４Ａは、ライン状のスジが発生する画像不良の例を示す図である。
【図４Ｂ】図４Ｂは、濃さが異なる帯状の画像が発生する画像不良の例を示す図である。
【図５】図５は、実施の形態１に係る液体吐出装置の機能構成例を示すブロック図である。
【図６】図６は、実施の形態１に係るパターンデータを用いて重なり部を形成する例を説明する図である。
【図７】図７は、実施の形態１に係る重なり部を形成するパターンデータの例を示す図である。
【図８】図８は、実施の形態１に係るＲＧＢ値の測定結果の例を示す図である。
【図９】図９は、実施の形態１に係る液体塗布面の形成処理方法を決定する例を説明する図である。
【図１０】図１０は、実施の形態１に係る液体吐出装置による処理の流れの例を示すフローチャートである。
【図１１】図１１は、実施の形態２に係る印刷システムのシステム構成例を示す図である。
【図１２】図１２は、実施の形態２に係る処理方法決定装置のハードウェア構成例を示すブロック図である。
【図１３】図１３は、実施の形態２に係る処理方法決定装置の機能構成例を示すブロック図である。
【図１４】図１４は、実施の形態２に係る処理方法決定装置による処理の流れの例を示すフローチャートである。
【図１５】図１５は、変形例に係る液体吐出ヘッドの構成例を示す図である。
【発明を実施するための形態】
【０００９】
以下に添付図面を参照して、本発明に係る液体吐出装置、処理方法決定装置及び処理方法決定プログラムの実施の形態を説明する。以下の実施の形態により本発明が限定されるものではない。また、各実施の形態は、内容を矛盾させない範囲で、適宜組み合わせることができる。
【００１０】
（実施の形態１）
図１及び図２を用いて、実施の形態１に係る液体吐出装置１００の機械的な構成を説明する。図１は、実施の形態１に係る液体吐出装置１００の斜視図である。図２は、実施の形態１に係る液体吐出装置１００の内部の機械的構成を示す上面図である。
【００１１】
図１に示すように、液体吐出装置１００は、主走査方向（図中矢印Ａ方向）に往復移動するキャリッジ１１８を備える。キャリッジ１１８は、主走査方向に沿って延設された主ガイドロッド３により支持される。また、キャリッジ１１８には、連結片１１８ａが設けられている。連結片１１８ａは、主ガイドロッド３と平行に設けられた副ガイド部材４に係合し、キャリッジ１１８の姿勢を安定させる。
【００１２】
キャリッジ１１８は、駆動プーリ９と従動プーリ１０との間に帳架されたタイミングベルト１１に連結されている。駆動プーリ９は、主走査モータ１１６の駆動により回転する。従動プーリ１０は、駆動プーリ９との間の距離を調整する機構を有し、タイミングベルト１１に対して所定のテンションを与える役割を持つ。キャリッジ１１８は、主走査モータ１１６の駆動によりタイミングベルト１１が送り動作されることで、主走査方向に往復移動する。キャリッジ１１８の移動量や移動速度は、例えば図２に示すように、キャリッジ１１８に設けられた主走査エンコーダセンサ１７がエンコーダシート１４のマークを検知して出力するエンコーダ値に基づいて制御される。
【００１３】
キャリッジ１１８には、液体吐出ヘッド１１９（図３参照）が搭載される。液体吐出ヘッド１１９は、例えばイエロー（Ｙ）、シアン（Ｃ）、マゼンタ（Ｍ）、ブラック（Ｋ）等の色のインクを吐出する複数のノズルを副走査方向（図中矢印Ｂ方向）にそれぞれ並べたノズル列を有する。なお、液体吐出ヘッド１１９によって吐出されるインクの色やノズル列の数はこれに限定されるものではない。液体吐出ヘッド１１９は、インク等の液体の吐出面（ノズル面）が下方（媒体Ｐ側）に向くように、キャリッジ１１８に支持されている。液体吐出ヘッド１１９は、液体吐出装置１００に入力されたデータ（入力データ）に基づいて、媒体Ｐにインク等の液体を吐出して液体塗布面を形成する。
【００１４】
液体吐出ヘッド１１９にインク等の液体を供給するための供給体であるカートリッジ７は、キャリッジ１１８には搭載されず、液体吐出装置１００の所定の位置に配置されている。カートリッジ７と液体吐出ヘッド１１９とはパイプ等で連結されており、このパイプを介して、カートリッジ７から液体吐出ヘッド１１９に対してインク等の液体が供給される。
【００１５】
液体吐出ヘッド１１９の吐出面と対向する位置には、図２に示すように、プラテン１６が設けられている。プラテン１６は、液体吐出ヘッド１１９から媒体Ｐにインクが吐出される際に、媒体Ｐを支持するためのものである。例えば、プラテン１６には、厚み方向に貫通する貫通孔が多数設けられ、個々の貫通孔を取り囲むようにリブ状の突起が形成されている。そして、プラテン１６の媒体Ｐを支持する面とは逆側に設けられた吸引ファンを作動させることで、プラテン１６上から媒体Ｐが脱落することを抑制する構成となっている。媒体Ｐは、副走査モータ１１７（図３参照）によって駆動される搬送ローラにより挟持され、プラテン１６上を、副走査方向（図中矢印Ｂ方向）に間欠的に搬送される。
【００１６】
液体吐出ヘッド１１９には、上述したように、副走査方向に並ぶように形成された複数のノズルが設けられている。液体吐出装置１００は、媒体Ｐを副走査方向に間欠的に搬送し、媒体Ｐの搬送が停止している間に、キャリッジ１１８を主走査方向に往復移動させながら、入力データに応じて液体吐出ヘッド１１９のノズルを選択的に駆動し、液体吐出ヘッド１１９からプラテン１６上の媒体Ｐにインク等の液体を吐出して、媒体Ｐに液体塗布面を形成する。
【００１７】
ここで、媒体Ｐは、液体が付着可能なもの、すなわち、液体が少なくとも一時的に付着可能なものであって、付着して固着するもの、付着して浸透するもの等を意味する。具体例としては、用紙、記録紙、記録用紙、フィルム、布の記録媒体や、電子基板、圧電素子等の電子部品、紛体層（粉末層）、臓器モデル、検査用セル等の記録媒体であり、特に限定しない限り、液体が付着する全てのものが含まれる。また、液体が付着可能なものの材質としては、紙、糸、繊維、布帛、皮革、金属、プラスチック、ガラス、木材、セラミックス等、液体が一時的にでも付着可能であれば良い。本実施の形態に係る液体吐出装置１００では、媒体Ｐの一例である用紙に画像形成（印刷）している。
【００１８】
図１に戻り、液体吐出装置１００は、液体吐出ヘッド１１９の信頼性を維持するための維持機構１５を備える。維持機構１５は、液体吐出ヘッド１１９の吐出面の清掃やキャッピング、液体吐出ヘッド１１９からの不要なインクの排出等を行なう。
【００１９】
液体吐出装置１００を構成する上記の各構成要素は、外装体２の内部に配置されている。外装体２には、カバー部材２ａが開閉可能に設けられている。液体吐出装置１００のメンテナンス時やジャム発生時には、カバー部材２ａを開けることにより、外装体２の内部に設けられた各構成要素に対して作業を行なうことができる。
【００２０】
次に、図３を用いて、実施の形態１に係る液体吐出装置１００のハードウェア構成を説明する。図３は、実施の形態１に係る液体吐出装置１００のハードウェア構成例を示すブロック図である。
【００２１】
図３に示すように、液体吐出装置１００は、制御部１０１を備える。また、液体吐出装置１００は、装置全体の制御を司るＣＰＵ（Central  Processing  Unit）１０２を備える。液体吐出装置１００は、ＣＰＵ１０２に対して、ＲＯＭ（Read  Only  Memory）１０３と、ＲＡＭ（Random  Access  Memory）１０４と、不揮発性メモリ（NVRAM：Non‐Volatile  RAM）１０５と、ＡＳＩＣ（Application  Specific  Integrated  Circuit）１０６とを接続する。
【００２２】
ＲＯＭ１０３は、ＣＰＵ１０２が実行するプログラムや、その他の固定データ等を格納する。ＲＡＭ１０４は、画像データ等を一時格納する。不揮発性メモリ１０５は、液体吐出装置１００の電源が遮断されている間もデータを保持する。ＡＳＩＣ１０６は、各種信号処理や並び替え等を行なう画像処理、その他装置全体を制御するための入出力信号を処理する。
【００２３】
また、制御部１０１は、Ｉ／Ｆ１０７と、印刷制御部１０８と、主走査モータ駆動部１０９と、副走査モータ駆動部１１０と、Ｉ／Ｏ１１１とを備える。また、制御部１０１は、操作パネル１１２と、環境センサ１１３と、読取センサ１１４とを接続する。
【００２４】
Ｉ／Ｆ１０７は、ホスト側との間でデータや信号を送受するインタフェースである。具体的には、Ｉ／Ｆ１０７は、情報処理装置、画像読取装置、撮像装置等のホストのプリンタドライバが生成した印刷データ等を、ケーブルやネットワーク等を介して受信する。つまり、制御部１０１に対する印刷データの生成出力は、ホスト側のプリンタドライバによって行なわれても良い。ＣＰＵ１０２は、Ｉ／Ｆ１０７に含まれる受信バッファ内の印刷データを読み出して解析する。そして、ＡＳＩＣ１０６にて画像処理やデータの並び替え処理等が行なわれ、画像データが印刷制御部１０８やヘッドドライバ１１５に転送される。
【００２５】
印刷制御部１０８は、液体吐出ヘッド１１９を駆動するための駆動波形を生成するとともに、液体吐出ヘッド１１９がノズルから液体を吐出するための圧力を発生する圧力発生手段を選択駆動させる画像データ及びそれに伴う各種データを、ヘッドドライバ１１５に出力する。
【００２６】
印刷制御部１０８は、ＣＰＵ、ＲＯＭ、ＲＡＭ等を備えたコンピュータ構成となっていても良い。印刷制御部１０８は、ＣＰＵがＲＯＭ等に記憶されたプログラムを実行することによって所望の機能を発揮する。
【００２７】
印刷制御部１０８のＣＰＵが実行するプログラムは、インストール可能な形式又は実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録して提供するように構成しても良い。
【００２８】
さらに、印刷制御部１０８のＣＰＵが実行するプログラムを、インターネット等のネットワークに接続されたコンピュータ上に格納し、ネットワーク経由でダウンロードさせることで提供するように構成しても良い。また、印刷制御部１０８のＣＰＵが実行するプログラムを、インターネット等のネットワーク経由で提供又は配布するように構成しても良い。
【００２９】
主走査モータ駆動部１０９は、主走査モータ１１６を駆動する。主走査モータ１１６は、駆動により、液体吐出ヘッド１１９を備えたキャリッジ１１８を主走査方向に移動させる。副走査モータ駆動部１１０は、副走査モータ１１７を駆動する。副走査モータ１１７は、駆動により、液体吐出ヘッド１１９による液体の吐出対象となる対象物（例えば、媒体Ｐ）を搬送する搬送部材１２０（例えば、上述した搬送ローラ等）を動作させる。
【００３０】
Ｉ／Ｏ１１１は、環境センサ１１３や読取センサ１１４からの情報を取得し、液体吐出装置１００の各部の制御に要する情報を抽出する。例えば、環境センサ１１３は、環境温度や環境湿度等を検出する。また、読取センサ１１４は、液体塗布面が形成された媒体Ｐの所定位置を撮像する２次元センサである。かかる読取センサ１１４は、「撮像部」に対応する。なお、Ｉ／Ｏ１１１は、環境センサ１１３や読取センサ１１４以外の各種センサからの情報も入力する。操作パネル１１２は、各種情報の入力や表示を行なう。
【００３１】
ここで、液体吐出装置１００における印刷制御処理の概略について説明する。
【００３２】
液体吐出装置１００のＣＰＵ１０２は、Ｉ／Ｆ１０７の受信バッファ内の印刷データを読み出して解析し、ＡＳＩＣ１０６にて必要な画像処理、データの並び替え処理等を行なって印刷制御部１０８に転送する。
【００３３】
印刷制御部１０８は、所要のタイミングでヘッドドライバ１１５に画像データや駆動波形を出力する。詳細には、印刷制御部１０８は、ＲＯＭ１０３に格納されてＣＰＵ１０２で読み出される駆動パルスのパターンデータをＤ／Ａ変換して増幅することにより、１つの駆動パルス或いは複数の駆動パルスで構成される駆動波形を生成する。
【００３４】
なお、画像出力するための画像データ（例えば、ドットパターンデータ）の生成は、例えばＲＯＭ１０３にフォントデータを格納して行なっても良いし、ホスト側のプリンタドライバで画像データをビットマップに展開して液体吐出装置１００に転送するようにしても良い。
【００３５】
ヘッドドライバ１１５は、入力される画像データ（例えば、ドットパターンデータ）に基づいて、印刷制御部１０８から与えられる駆動波形を構成する駆動パルスを、選択的に液体吐出ヘッド１１９の圧力発生手段に対して印加することにより、液体吐出ヘッド１１９を駆動する。
【００３６】
次に、図４Ａ及び図４Ｂを用いて、画像不良について説明する。図４Ａは、ライン状のスジが発生する画像不良の例を示す図である。図４Ｂは、濃さが異なる帯状の画像が発生する画像不良の例を示す図である。
【００３７】
図４Ａに示すように、インクジェット方式によって画像形成する場合は、液体吐出ヘッド１１９を走査する方向に、白又は色が濃くなったライン状のスジが発生する画像不良となる可能性がある。また、図４Ｂに示すように、インクジェット方式によって画像形成する場合は、液体吐出ヘッド１１９を走査する方向に、濃度の濃い部分と薄い部分とが帯状に交互に発生する画像不良となる可能性がある。これらの画像不良は、媒体Ｐを搬送する方向に一定間隔で発生する場合が多い。また、これらの画像不良は、液体吐出ヘッド１１９の連続する走査で形成される液体塗布面の境や、多層に液体塗布面を形成したときに発生することがある。本実施の形態では、液体塗布面の境を含む部分や、多層に液体塗布面を形成する部分を、「つなぎ処理範囲」と呼ぶ場合がある。
【００３８】
画像不良の要因としては、媒体Ｐを搬送する際に、搬送量に誤差が生じてドットの位置がずれてしまう場合、一部のノズルが吐出不安定になり吐出されるインク滴の大きさが小さくなる場合、吐出速度が遅くなって着弾位置がずれてしまう場合等である。このような画像不良がベタ部に発生した場合は、該当する特徴量（例えば、ＲＧＢ値等）で見た時に、ばらつきや、最大のピーク値と最小のピーク値との差分値が大きくなる。本実施の形態は、これらのデータを比較することで、画像不良を抑制可能な画像処理方法を見出す。また、これらの要因は、初期に生じていなくても使用環境等によって発生する場合があり、発生する画像不良の程度も良くなる場合もあるし、悪くなる場合もある。
【００３９】
そこで、本実施の形態では、複数の異なるパターンデータをもとに媒体Ｐに液体塗布面を形成し、画像不良が発生する可能性がある所定位置を読取センサ１１４で撮像し、撮像画像をもとに、画像不良を抑制するための画像処理方法を決定する。所定位置は、上述したつなぎ処理範囲を含む。
【００４０】
次に、図５を用いて、実施の形態１に係る液体吐出装置１００の機能構成を説明する。図５は、実施の形態１に係る液体吐出装置１００の機能構成例を示すブロック図である。
【００４１】
図５に示すように、液体吐出装置１００は、ヘッド制御部１５１と、搬送制御部１５２と、決定部１５３とを有する。
【００４２】
ヘッド制御部１５１は、液体吐出ヘッド１１９による液体の吐出を制御する。より具体的には、ヘッド制御部１５１は、媒体Ｐに液体塗布面を形成するための複数の異なるパターンデータ（例えば、上述したドットパターンデータ等の画像データ）をもとに、液体吐出ヘッド１１９による液体の吐出を制御する。パターンデータは、画像不良が発生する可能性がある各パターンに対応する。パターンデータの詳細については後述する。ヘッド制御部１５１は、印刷制御部１０８やヘッドドライバ１１５の機能の一つである。
【００４３】
搬送制御部１５２は、搬送部材１２０による媒体Ｐの搬送を制御する。より具体的には、搬送制御部１５２は、パターンデータに対応する液体塗布面が形成されるように、搬送部材１２０による媒体Ｐの搬送を制御する。例えば、搬送制御部１５２は、パターンデータに対応する液体塗布面が形成されるように、副走査モータ駆動部１１０等に、媒体Ｐの搬送量を指示する。
【００４４】
搬送制御部１５２は、パターンデータによっては、例えば液体吐出ヘッド１１９の連続する走査で液体塗布面の一部が重なる重なり部が形成されるように、搬送部材１２０による媒体Ｐの搬送を制御する。例えば、重なり部は、ドットの発生率が異なり、且つ、ドットがランダムに発生するマスクを含むパターンデータをもとに、液体吐出ヘッド１１９の連続する走査で形成される。従って、読取センサ１１４は、この重なり部を含む所定位置を撮像する場合がある。
【００４５】
決定部１５３は、撮像画像をもとに、液体塗布面の形成処理方法を決定する。より具体的には、決定部１５３は、読取センサ１１４によって撮像された媒体Ｐの所定位置（上述した「重なり部」を含む場合がある）の撮像画像それぞれから、ＲＧＢ値等の特徴量を測定し、品質がより良い液体塗布面の形成処理方法を決定する。上述したように、ＲＧＢ値のばらつきや、最大のピーク値と最小のピーク値との差分値が大きいと、画像不良が発生している可能性がある。このため、決定部１５３は、ＲＧＢ値の標準偏差と、ＲＧＢ値の最大のピーク値及び最小のピーク値の差分値とをもとに、品質がより良い液体塗布面の形成処理方法を決定する。
【００４６】
例えば、標準偏差をＤｅｖ、差分値をＰｅとする場合、決定部１５３は、Ｄｅｖ＋Ｐｅが最も小さい値（ばらつきや誤差がより少ない）となったパターンデータを選択し、このパターンデータをもとにした液体塗布面の形成時の各種条件を、品質がより良い液体塗布面の形成処理方法（最適条件）とする。決定部１５３によって決定された形成処理方法は、次回以降の印刷における条件としてフィードバックすることができる。
【００４７】
次に、図６を用いて、実施の形態１に係るパターンデータを用いて重なり部を形成する場合を説明する。図６は、実施の形態１に係るパターンデータを用いて重なり部を形成する例を説明する図である。
【００４８】
図６に示すように、液体吐出ヘッド１１９は、ヘッド制御部１５１による制御に従い、ｎ走査目の液体塗布面を媒体Ｐに形成する。その後、液体吐出ヘッド１１９は、ｎ走査目と連続する走査であるｎ＋１走査目の液体塗布面を媒体Ｐに形成する。このとき、搬送制御部１５２は、ｎ走査目とｎ＋１走査目とで、液体塗布面の一部が多層になるように媒体Ｐの搬送を制御する。これらにより、媒体Ｐには、重なり部が形成される。図６では、ｎ走査目において、媒体Ｐの搬送方向に対して液体吐出ヘッド１１９の上流側のノズル６つ、ｎ＋１走査目において、媒体Ｐの搬送方向に対して液体吐出ヘッド１１９の下流側のノズル６つにより、重なり部を形成する例を示している。読取センサ１１４は、このようにして形成された重なり部を含む所定位置を撮像する。なお、ｘは、媒体Ｐにおける位置を示す（図８参照）。
【００４９】
図７は、実施の形態１に係る重なり部を形成するパターンデータの例を示す図である。
【００５０】
図７に示すように、重なり部は、ｎ走査目の液体吐出ヘッド１１９の上流側のノズルと、ｎ＋１走査目の液体吐出ヘッド１１９の下流側のノズルとの両方から吐出されるドットで構成される。例えば、重なり部は、副走査方向にドットの発生率を９０パーセントから１０パーセントまで漸減させ、且つ、ランダムに発生させたマスクをかけて、上流側と下流側とのドットを組み合わせたときのドット発生率が１００パーセントになるようにする。また、例えば、マスクの主走査方向の幅は、繰り返しパターンが目立たなくなるように、副走査方向の幅の４倍以上としている。
【００５１】
このような液体吐出ヘッド１１９の走査によって媒体Ｐに液体塗布面を形成した場合に、画像不良を検知する方法としては、重なり部を含む所定位置を読取センサ１１４で撮像した撮像画像のＲＧＢ値を測定する。その際、ｘ方向（図６参照）にＲＧＢ値をとっていくと、図８に示すグラフのようになる。
【００５２】
図８は、実施の形態１に係るＲＧＢ値の測定結果の例を示す図である。
【００５３】
図８に示すように、重なり部においてスジが発生する画像不良である場合は、グラフのピーク値が大きく現れる。また、重なり部において濃淡ムラが発生する画像不良である場合は、細かい変動成分が現れ、標準偏差が大きくなる。従って、決定部１５３は、これらの値を読み取ることにより、重なり部に特有の画像不良を検出できる。
【００５４】
図９は、実施の形態１に係る液体塗布面の形成処理方法を決定する例を説明する図である。なお、図９において、重ねノズル数とは、ｎ走査目とｎ＋１走査目との液体の吐出で重なり部を形成するために使用されたノズル数を指す。例えば、上述した図６では重ねノズル数は「６」である。また、重ねノズル数を表すｔとｕとの関係は、ｔ＜ｕとする。なお、図９に示す破線の枠は、つなぎ処理範囲を表している。つなぎ処理範囲には、重なり部が含まれる場合がある。
【００５５】
図９に示すように、処理方法Ａは、図７で示したパターンデータを用いて処理したときを表している。処理方法Ａでは、マスクをかけているから、スジや濃淡ムラが発生しにくい。処理方法Ｂは、ｎ＋１走査目の液体吐出ヘッド１１９のドット発生率を１００パーセントとしている。処理方法Ｂのつなぎ処理範囲に含まれる線は、スジを表している。処理方法Ｂにおけるスジは、媒体Ｐの搬送方向の下流側に発生する可能性がある。
【００５６】
処理方法Ｃは、ｎ走査目の液体吐出ヘッド１１９のドット発生率を１００パーセントとしている。処理方法Ｃのつなぎ処理範囲に含まれる線は、スジを表している。処理方法Ｃにおけるスジは、媒体Ｐの搬送方向の上流側に発生する可能性がある。処理方法Ｄは、ｎ走査目の液体吐出ヘッド１１９のドット発生率を５０パーセント、ｎ＋１走査目の液体吐出ヘッド１１９のドット発生率を５０パーセントとしている。処理方法Ｄのつなぎ処理範囲に含まれる線は、スジを表している。処理方法Ｄにおけるスジは、媒体Ｐのつなぎ処理範囲のほぼ中央に発生する可能性がある。なお、処理方法の種類や重ねノズル数の数は、上記のものに限られない。
【００５７】
決定部１５３は、各処理方法、各重ねノズル数によって液体塗布面が形成された媒体Ｐの所定位置の撮像画像それぞれから、ＲＧＢ値を測定し、標準偏差Ｄｅｖ＋差分値Ｐｅを算出する。そして、決定部１５３は、算出した値が最も小さい値となったパターンデータを選択し、選択したパターンデータをもとにした液体塗布面の形成時の各種条件を、品質がより良い液体塗布面の形成処理方法（最適条件）とする。例えば、Ｄｅｖ＋Ｐｅの値が、図９に示す左下のパターンデータで最小になった場合、最適条件は、処理方法Ａ、重ねノズル数ｕとなる。
【００５８】
また、処理方法Ｂ、処理方法Ｃ、処理方法Ｄは、つなぎ処理範囲にスジが発生する可能性がある処理方法であるが、液体吐出ヘッド１１９の特性によっては、処理方法Ａのようにマスクをかけない方が液体塗布面の品質が良い場合もある。このため、本実施の形態では、様々な処理方法や重ねノズル数に対応する液体塗布面の形成を実施している。
【００５９】
次に、図１０を用いて、実施の形態１に係る液体吐出装置１００による処理の流れを説明する。図１０は、実施の形態１に係る液体吐出装置１００による処理の流れの例を示すフローチャートである。
【００６０】
図１０に示すように、液体吐出装置１００は、複数の異なるパターンデータをもとに、印刷を行なう（ステップＳ１０１）。そして、液体吐出装置１００は、印刷物それぞれの所定位置を撮像する（ステップＳ１０２）。続いて、液体吐出装置１００は、所定位置を撮像した撮像画像のＲＧＢ値を測定し、ＲＧＢ値の標準偏差Ｄｅｖと、ＲＧＢ値の最大のピーク値及び最小のピーク値の差分値Ｐｅとを算出する（ステップＳ１０３）。
【００６１】
その後、液体吐出装置１００は、標準偏差Ｄｅｖ＋差分値Ｐｅが最小となる印刷物を特定する（ステップＳ１０４）。そして、液体吐出装置１００は、標準偏差Ｄｅｖ＋差分値Ｐｅが最小となる印刷物を印刷したときの、処理方法と重ねノズル数とを、品質がより良い印刷物の画像形成処理方法として決定する（ステップＳ１０５）。
【００６２】
上述したように、液体吐出装置１００は、複数の異なるパターンデータをもとに媒体Ｐに液体塗布面を形成し、液体塗布面が形成された所定位置を撮像して得られた撮像画像のＲＧＢ値を測定する。そして、液体吐出装置１００は、ＲＧＢ値の標準偏差Ｄｅｖと、ＲＧＢ値の最大のピーク値及び最小のピーク値の差分値Ｐｅとから、標準偏差Ｄｅｖ＋差分値Ｐｅの値が最小となるパターンデータを選択する。液体吐出装置１００は、選択したパターンデータをもとにした液体塗布面の形成時の重ねノズル数や処理方法を、品質がより良い液体塗布面の形成処理方法として決定する。これらの結果、液体吐出装置１００は、使用環境等が異なる場合であっても、画像不良を抑制するための好適な条件を出力することができる。
【００６３】
（実施の形態２）
上記実施の形態１では、液体吐出装置１００が、より良い品質となる液体塗布面の形成処理方法を決定する場合を説明した。より良い品質となる液体塗布面の形成処理方法の決定は、液体吐出装置１００に接続された外部装置によって実施されても良い。実施の形態２では、液体吐出装置１００に接続された外部装置によって、より良い品質となる液体塗布面の形成処理方法が決定される場合を説明する。なお、実施の形態２では、実施の形態１と同様の構成については同一の符号を付し、詳細な説明を省略する場合がある。
【００６４】
図１１は、実施の形態２に係る印刷システム１のシステム構成例を示す図である。
【００６５】
図１１に示すように、印刷システム１には、液体吐出装置１００と、処理方法決定装置２００とが含まれる。
【００６６】
液体吐出装置１００は、実施の形態１で説明した各構成要素により、複数の異なるパターンデータをもとに媒体Ｐに液体塗布面を形成し、液体塗布面が形成された媒体Ｐの所定位置を撮像する処理を行なう。実施の形態２において、液体吐出装置１００は、所定位置を撮像した撮像画像それぞれを処理方法決定装置２００に対して送信する。
【００６７】
処理方法決定装置２００は、液体吐出装置１００から、所定位置を撮像した撮像画像それぞれを取得し、取得した撮像画像それぞれをもとに、より良い品質となる液体塗布面の形成処理方法を決定する処理を行なう。例えば、処理方法決定装置２００は、ＰＣ（Personal  Computer）等の情報処理装置である。
【００６８】
図１２は、実施の形態２に係る処理方法決定装置２００のハードウェア構成例を示すブロック図である。
【００６９】
図１２に示すように、処理方法決定装置２００は、ＣＰＵ２０２と、ＲＯＭ２０３と、ＲＡＭ２０４と、Ｉ／Ｆ２０５とを有する。上記各部は、バス２０１を介して相互に接続される。
【００７０】
ＣＰＵ２０２は、ＲＡＭ２０４等を作業領域としてＲＯＭ２０３等に格納されたプログラムを実行することで、処理方法決定装置２００の動作を統括的に制御する。Ｉ／Ｆ２０５は、処理方法決定装置２００に接続される外部装置（例えば、液体吐出装置１００等）との間で、各種情報のやり取りを行なうためのインタフェースである。
【００７１】
次に、図１３を用いて、実施の形態２に係る処理方法決定装置２００の機能構成を説明する。図１３は、実施の形態２に係る処理方法決定装置２００の機能構成例を示すブロック図である。
【００７２】
図１３に示すように、処理方法決定装置２００は、取得部２５１と、決定部２５２とを有する。
【００７３】
取得部２５１は、複数の異なるパターンデータをもとに液体塗布面が形成された対象物それぞれの所定位置が撮像された撮像画像を取得する。実施の形態２に係る液体吐出装置１００では、実施の形態１と同様に、複数の異なるパターンデータをもとに媒体Ｐに液体塗布面を形成し、液体塗布面が形成された媒体Ｐの所定位置を撮像し、所定位置を撮像した撮像画像を得る。取得部２５１は、このように液体吐出装置１００によって得られた撮像画像それぞれを取得する。
【００７４】
決定部２５２は、撮像画像をもとに、液体塗布面の形成処理方法を決定する。より具体的には、決定部２５２は、取得部２５１によって取得された撮像画像それぞれから、ＲＧＢ値等の特徴量を測定し、ＲＧＢ値の標準偏差Ｄｅｖと、ＲＧＢ値の最大のピーク値及び最小のピーク値の差分値Ｐｅとをもとに、品質がより良い液体塗布面の形成処理方法を決定する。決定部２５２による詳細な処理は、実施の形態１で説明した決定部１５３による処理と同様である。
【００７５】
次に、図１４を用いて、実施の形態２に係る処理方法決定装置２００による処理の流れを説明する。図１４は、実施の形態２に係る処理方法決定装置２００による処理の流れの例を示すフローチャートである。
【００７６】
図１４に示すように、処理方法決定装置２００は、媒体Ｐの所定位置を撮像した撮像画像それぞれを取得する（ステップＳ２０１）。そして、処理方法決定装置２００は、所定位置を撮像した撮像画像のＲＧＢ値を測定し、ＲＧＢ値の標準偏差Ｄｅｖと、ＲＧＢ値の最大のピーク値及び最小のピーク値の差分値Ｐｅとを算出する（ステップＳ２０２）。続いて、処理方法決定装置２００は、標準偏差Ｄｅｖ＋差分値Ｐｅが最小となる印刷物を特定する（ステップＳ２０３）。その後、処理方法決定装置２００は、標準偏差Ｄｅｖ＋差分値Ｐｅが最小となる印刷物が印刷されたときの、処理方法と重ねノズル数とを、品質がより良い印刷物の画像形成処理方法として決定する（ステップＳ２０４）。
【００７７】
上述したように、処理方法決定装置２００は、複数の異なるパターンデータをもとに液体塗布面が形成された媒体Ｐそれぞれの所定位置が撮像された撮像画像を取得し、取得した撮像画像それぞれをもとに、液体塗布面の形成処理方法を決定する。この結果、処理方法決定装置２００は、使用環境が異なる場合であっても、画像不良を抑制するための好適な条件を出力することができる。
【００７８】
（変形例）
上記実施の形態では、液体吐出ヘッド１１９の連続した走査によって液体塗布面を形成する場合を説明した。液体塗布面の形成は、これに限られるものではなく、例えば複数の液体吐出ヘッド１１９によって実現しても良い。
【００７９】
図１５は、変形例に係る液体吐出ヘッド１１９の構成例を示す図である。
【００８０】
図１５に示すように、キャリッジ１１８には、液体吐出ヘッド１１９ａと、液体吐出ヘッド１１９ｂとが搭載される。また、液体吐出ヘッド１１９ａと液体吐出ヘッド１１９ｂとは、主走査方向においてノズルの一部が重なるように配置される。図１５では、液体吐出ヘッド１１９ａと液体吐出ヘッド１１９ｂとで、互いに６つのノズルが重なる例を示している。つまり、重ねノズル数は「６」となる。なお、重ねノズル数は「６」に限られるわけではない。このような液体吐出ヘッド１１９を利用して、上記実施の形態で説明した処理を実現することもできる。
【００８１】
変形例では、図９に示した重ねノズル数が１つだけ（例えば、重ねノズル数ｕだけ）である場合の各パターンデータをもとに、媒体Ｐに液体塗布面を形成していくことになる。このほかの処理については、上記実施の形態で説明した処理と同様に実現することができる。
【００８２】
また、上記文書中や図面中等で示した処理手順、制御手順、具体的名称、各種のデータやパラメータ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。
【００８３】
また、処理方法決定装置２００で実行される処理方法決定プログラムは、一つの様態として、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供される。また、処理方法決定装置２００で実行される処理方法決定プログラムを、インターネット等のネットワークに接続されたコンピュータ上に格納し、ネットワーク経由でダウンロードさせることにより提供するように構成しても良い。また、処理方法決定装置２００で実行される処理方法決定プログラムをインターネット等のネットワーク経由で提供又は配布するように構成しても良い。また、処理方法決定プログラムを、ＲＯＭ等に予め組み込んで提供するように構成しても良い。
【００８４】
処理方法決定装置２００で実行される処理方法決定プログラムは、上述した各部（取得部２５１、決定部２５２）を含むモジュール構成となっており、実際のハードウェアとしてはＣＰＵ（プロセッサ）が記憶媒体から処理方法決定プログラムを読み出して実行することにより、上記各部が主記憶装置上にロードされ、取得部２５１、決定部２５２が主記憶装置上に生成されるようになっている。
【００８５】
また、上記実施の形態で説明した液体吐出装置１００は、液体吐出ヘッド又は液体吐出ユニットを備え、液体吐出ヘッドを駆動させて、液体を吐出させる装置である。液体を吐出する装置には、液体が付着可能なものに対して液体を吐出することが可能な装置だけではなく、液体を気中や液中に向けて吐出する装置も含まれる。
【００８６】
このような液体吐出装置１００は、液体が付着可能なものの給送、搬送、排紙にかかわる手段、その他、前処理装置、後処理装置等も含むことができる。
【００８７】
例えば、液体吐出装置１００として、インクを吐出させて用紙に画像を形成する装置である画像形成装置、立体造形物（三次元造形物）を造形するために、紛体を層状に形成した紛体層に造形液を吐出させる立体造形装置（三次元造形装置）がある。
【００８８】
また、液体吐出装置１００は、吐出された液体によって文字、図形等の有意な画像が可視化されるものに限定されるものではない。例えば、それ自体意味を持たないパターン等を形成するもの、三次元像を造形するものも含まれる。
【００８９】
上記の「液体が付着可能なもの」とは、液体が少なくとも一時的に付着可能なものであって、付着して固着するもの、付着して浸透するもの等を意味する。具体例としては、用紙、記録紙、記録用紙、フィルム、布等の被記録媒体、電子基板、圧電素子等の電子部品、紛体層（粉末層）、臓器モデル、検査用セル等の媒体であり、特に限定しない限り、液体が付着する全てのものが含まれる。
【００９０】
上記の「液体が付着可能なもの」の材質は、紙、糸、繊維、布帛、皮革、金属、プラスチック、ガラス、木材、セラミックス等、液体が一時的にでも付着可能であれば良い。
【００９１】
また、「液体」は、ヘッドから吐出可能な粘度や表面張力を有するものであれば良く、特に限定されないが、常温、常圧下において、又は加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、等を含む溶液、懸濁液、エマルジョン等であり、これらは例えば、インクジェット用インク、表面処理液、電子素子や発光素子の構成要素や電子回路レジストパターンの形成用液、３次元造形用材料液等の用途で用いることができる。
【００９２】
また、液体吐出装置１００は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置等が含まれる。
【００９３】
また、液体吐出装置１００としては他にも、用紙の表面を改質する等の目的で用紙の表面に処理液を塗布するために処理液を用紙に吐出する処理液塗布装置、原材料を溶液中に分散した組成液を、ノズルを介して噴射させて原材料の微粒子を造粒する噴射造粒装置等がある。
【符号の説明】
【００９４】
１００  液体吐出装置
１１４  読取センサ
１１９  液体吐出ヘッド
１２０  搬送部材
１５１  ヘッド制御部
１５２  搬送制御部
１５３  決定部
【先行技術文献】
【特許文献】
【００９５】
【特許文献１】特許第５８２４８２８号公報
【図１】
2019162776.tif 000003
【図２】
2019162776.tif 000004
【図３】
2019162776.tif 000005
【図４Ａ】
2019162776.tif 000006
【図４Ｂ】
2019162776.tif 000007
【図５】
2019162776.tif 000008
【図６】
2019162776.tif 000009
【図７】
2019162776.tif 000010
【図８】
2019162776.tif 000011
【図９】
2019162776.tif 000012
【図１０】
2019162776.tif 000013
【図１１】
2019162776.tif 000014
【図１２】
2019162776.tif 000015
【図１３】
2019162776.tif 000016
【図１４】
2019162776.tif 000017
【図１５】
2019162776.tif 000018